(57)【特許請求の範囲】
【請求項１】
胴部分及び袖部分を有するジャケット本体と、
前記ジャケット本体の袖部分を包み得る筒状部及び該筒状部に連続し前記ジャケット本体の胴部分の上方部分である肩部分を覆い得る肩片部を有して構成された袖外被と、
前記ジャケット本体の胴部分の上端部近傍である衿部分に一体的に設けられ、前記袖外被を収納する袖外被収納袋とを備え、
前記袖外被は、前記肩片部の端部において前記ジャケット本体に対して縫着されており、前記ジャケット本体を人体が着用した状態において、該ジャケット本体の袖部分を前記筒状部により包んだ状態と、該筒状部が該袖部分から外れた状態とに変更可能であり、該筒状部が該袖部分から外れた状態においては、前記袖外被収納袋内に畳んで収納され得ることを特徴とするジャケット。
【請求項２】
請求項１に記載のジャケットにおいて、
前記ジャケット本体の袖部分は、人体の肩から手首を包み得るように構成されていることを特徴とするジャケット。
【請求項３】
請求項１または請求項２に記載のジャケットにおいて、
前記袖外被の筒状部の長さ方向の中間部には、前記筒状部を一周して、テープ状の蛍光素材または再帰性反射素材が貼り付けられていることを特徴とするジャケット。
【発明の詳細な説明】
【技術分野】
【０００１】
本発明は、使用目的や状況に応じて両袖外被を表出または収納できるジャケットに関する。
【背景技術】
【０００２】
従来、袖部分を着脱できるジャケットが提案されている。特許文献１には、ジャケット本体の腕部を挿通するための開口部に対して、ファスナ等により着脱可能に取付けられた一対の袖部分を備えたジャケットが記載されている。
【０００３】
また、特許文献２には、両袖部分がジャケット本体に対してファスナにより着脱可能となっており、これら両袖部分が背面部により連結されているジャケットが記載されている。
【０００４】
なお、袖部分が着脱可能な構成としては、ジャケット本体から袖部分の全体（外被及び内側部分の全て）が着脱可能となっている構成の他に、ジャケット本体から袖部分の外被のみが着脱可能となっている構成も提案されている。
【先行技術文献】
【特許文献】
【０００５】
【特許文献１】特開２００６−３４８４５８号公報
【特許文献２】特開２０１１−１０６０５６号公報
【発明の概要】
【発明が解決しようとする課題】
【０００６】
ところで、特許文献１に記載された従来のジャケットにおいては、左右の袖をジャケット本体から個々に取り外すので、左右の袖をそれぞれ個別にジャケット本体とは別に管理しなければならないという問題がある。また、左右の袖を個々に取り外すことに手間がかかるという問題がある。
【０００７】
また、特許文献２に記載された従来のジャケットにおいても、両袖をジャケット本体から取り外すので、両袖をジャケット本体とは別に管理しなければならないという問題がある。また、両袖を開口部周上に沿ってファスナーで連結するため、袖の取り付けに手間がかかるという問題がある。
【０００８】
そこで、本発明は、前述の実情に鑑みて提案されるものであって、袖外被をジャケット本体から取り外しても、該袖外被をジャケット本体とは別に管理する必要がないジャケットを提供することを目的とするものである。
【課題を解決するための手段】
【０００９】
前述の課題を解決し、前記目的を達成するため、本発明に係るジャケットは、以下の構成を有するものである。
【００１０】
請求項１に記載のジャケットは、胴部分及び袖部分を有するジャケット本体と、ジャケット本体の袖部分を包み得る筒状部及び該筒状部に連続しジャケット本体の胴部分の上方部分である肩部分を覆い得る肩片部を有して構成された袖外被と、ジャケット本体の胴部分の上端部近傍である衿部分に一体的に設けられ、袖外被を収納する袖外被収納袋とを備え、袖外被は、肩片部の端部においてジャケット本体に対して縫着されており、ジャケット本体を人体が着用した状態において、該ジャケット本体の袖部分を筒状部により包んだ状態と、該筒状部が該袖部分から外れた状態とに変更可能であり、該筒状部が該袖部分から外れた状態においては、袖外被収納袋内に畳んで収納され得ることを特徴とするものである。
【００１１】
請求項２に記載のジャケットは、請求項１に記載のジャケットにおいて、ジャケット本体の袖部分は、人体の肩から手首を包み得るように構成されていることを特徴とするものである。
【００１２】
請求項３に記載のジャケットは、請求項１または請求項２に記載のジャケットにおいて、袖外被の筒状部の長さ方向の中間部には、筒状部を一周して、テープ状の蛍光素材または再帰性反射素材が張り付けられていることを特徴とするものである。
【発明の効果】
【００１３】
本発明に係るジャケットにおいては、袖外被は、肩片部の端部においてジャケット本体に対して連結されているため、紛失の恐れがなく、ジャケット本体を人体が着用した状態において、該ジャケット本体の袖部分を筒状部により包んだ状態と、該筒状部が該袖部分から外れた状態とに変更可能であり、該筒状部が該袖部分から外れた状態においては、袖外被収納袋内に畳んで収納され得る。
【００１４】
また、袖外被がジャケット本体に対して連結されているため、袖外被が左右のいずれか一方に寄り過ぎてダブついたり、または一方の袖外被に引っ張られて内側のジャケットの袖部分が露出するといった不具合の発生を防止することができる。
【００１５】
本発明に係るジャケットにおいては、袖外被は、袖山から袖丈線に対し１７％位置よりも下の位置から下方が筒状部となっていることにより、ジャケット本体を人体が着用した状態において、該ジャケット本体の袖部分を筒状部により包んだ状態と、該筒状部が該袖部分から外れた状態とに変更可能である。
【００１６】
本発明に係るジャケットにおいては、袖外被は、６０ｄｔｅｘ以下の糸により織られた布地により構成されていることにより、筒状部が袖部分から外れた状態において、袖外被収納袋内に畳んで収納され得る。
【００１７】
すなわち本発明は、袖外被をジャケット本体から取り外しても、該袖外被をジャケット本体とは別に管理する必要がないジャケットを提供することができるものである。
【図面の簡単な説明】
【００１８】
【図１】本発明に係るジャケットの構成を示す正面図である。
【図２】本発明に係るジャケットの構成を示す背面図である。
【図３】本発明に係るジャケットの袖外被を引き出し、袖外被の筒状部がジャケット本体の袖部分から外れている状態を示す背面図である。
【図４】本発明に係るジャケットの袖外被の筒状部がジャケット本体の袖部分を包んだ状態を示す背面図である。
【図５】本発明に係るジャケットの袖外被の筒状部がジャケット本体の袖部分を包んだ状態を示す正面図である。
【図６】本発明に係るジャケットの袖部分及び袖外被の形状（寸法）を示す展開図である。
【図７】袖外被収納袋の構成を示す斜視図である。
【図８】袖外被収納袋の構成を示す断面図である。
【図９】袖外被収納袋の構成の他の例を示す背面図である。
【発明を実施するための形態】
【００１９】
図１は、本発明に係るジャケットの構成を示す正面図である。
【００２０】
図２は、本発明に係るジャケットの構成を示す背面図である。
【００２１】
本発明に係るジャケットは、図１及び図２に示すように、長袖のジャケット本体１を有して構成される。このジャケット本体１は、胴部分１ａ及び左右の袖部分１ｂ，１ｃを有する。
【００２２】
胴部分１ａは、布状素材により、人体の胴部（首もとから腹部及び背面部）を包み得るように構成されている。胴部分１ａの上端部分は、人体の首もとを囲む衿部分１ｄとなっている。胴部分１ａは、人体の前面部（首もとから腹部）において衿部分１ｄを含めて開閉可能となっている。この開閉可能部は、プラスチック製又は金属製のファスナ３により、閉状態を維持できるようになっている。
【００２３】
なお、胴部分１ａは、前面部において開閉可能とせずに、円筒状に構成されたものとしてもよい。この場合には、胴部分１ａの下端部より、人体の胴部を頭部より胴部分１ａ内に挿入することによって、胴部分１ａが人体の胴部を包む状態となる。
【００２４】
左右の袖部分１ｂ，１ｃは、布状素材により、人体の腕部（肩から手首）を包み得るように円筒状に構成されており、基端部において胴部分１ａに一体的に縫着されている。胴部分１ａの袖部分１ｂ，１ｃが縫着される箇所には、人体の腕部が挿通するための開口部（アームホール）１ｅ，１ｆが形成されており、袖部分１ｂ，１ｃは、この開口部１ｅ，１ｆを塞ぐ状態に胴部分１ａに縫着されている。
【００２５】
このジャケット本体１を構成する布状素材としては、自然繊維、合成繊維、または、これらの混合繊維から織られた布地の他、不織布、シート材料など、種々のものを用いることができる。また、ジャケット本体１を構成する布状素材は、１枚ものの布地でもよいし、複数枚の同種または異種の布地を重ね合わせたものでもよく、さらに、重ね合わせた布地間にポリエステルやダウン等の中綿を充填したものであってもよい。
【００２６】
図３は、本発明に係るジャケットの袖外被を引き出し、袖外被の筒状部がジャケット本体の袖部分から外れている状態を示す背面図である。
【００２７】
そして、このジャケットは、図３に示すように、ジャケット本体１に連結（縫着）された袖外被２を有している。この袖外被２は、ジャケット本体１の袖部分１ｂ，１ｃを外方から包み得る筒状部２ａと、この筒状部２ａに連続しジャケット本体１の胴部分１ａの上方部分である肩部分を覆い得る肩片部２ｂを有して構成されている。この袖外被２は、１枚の布地からなり、一部を円筒状として縁部同士を縫着して筒状部２ａとして構成されている。円筒状としない残部が肩片部２ｂとなる。この袖外被２は、左右を別個に構成してもよいし、左右を一体として一連の布地から構成してもよい。
【００２８】
袖外被２は、肩片部２ｂの端部（左右を一体として構成した場合には中央部）２ｃにおいて、ジャケット本体１の背面部の上方部分に対して連結（縫着）されている。
【００２９】
この袖外被２は、特に暗所における視認性向上のために使用するものであってもよいし、防寒のために使用するものであってもよい。
【００３０】
袖外被２は、視認性向上のために使用するものである場合には、蛍光材料を含有する蛍光素材や、再帰性反射素材により構成することが好ましい。蛍光素材は、主に日中の周辺の景色との明度差によって識別性を発生させる素材である。再帰性反射素材は、布状素材の表面上に多数のビーズやプリズムを配したもので、入射光束を、ほぼその入射方向に向けて反射するように構成された素材である。
【００３１】
この場合においては、袖外被２の全体をこれら蛍光素材や再帰性反射素材により構成する必要はなく、図３乃至図５に示すように、腕部の少なくとも１箇所において、腕を一周して、テープ状の蛍光素材または再帰性反射素材４が貼付されていればよい。このようなテープ状の蛍光素材または再帰性反射素材４は、ＩＳＯ２０４７１規格に適合する特性及び面積を有するものとすることができる。
【００３２】
袖外被２は、防寒のために使用するものである場合には、断熱性素材や、防風性素材により構成することが好ましい。
【００３３】
図４は、本発明に係るジャケットの袖外被の筒状部がジャケット本体の袖部分を包んだ状態を示す背面図である。
【００３４】
図５は、本発明に係るジャケットの袖外被の筒状部がジャケット本体の袖部分を包んだ状態を示す正面図である。
【００３５】
袖外被２は、ジャケット本体１を人体が着用した状態において、図４及び図５に示すように、ジャケット本体１の袖部分１ｂ，１ｃ（図３参照）を筒状部２ａにより包んだ状態と、図３に示すように、筒状部２ａが袖部分１ｂ，１ｃから外れた状態とに変更可能である。すなわち、筒状部２ａは、ジャケット本体１を人体が着用したままで、袖部分１ｂ，１ｃに対して着脱可能である。
【００３６】
なお、袖外被２は、ジャケット本体１の袖部分１ｂ、１ｃがスムーズに挿通できるよう、袖部分１ｂ、１より径を大きく作成することが望ましい。
【００３７】
また、袖外被２の筒状部２ａがジャケット本体１の袖部分１ｂ，１ｃを包んだ状態においては、袖外被２がジャケット本体１に固定されるように、袖外被２及びジャケット本体１には、図５に示すように適宜の箇所にホックやボタン等の留め具１１を設けてもよい。
【００３８】
図６は、本発明に係るジャケットの袖部分及び袖外被の形状（寸法）を示す展開図である。
【００３９】
袖外被２は、ジャケット本体１の着用状態での袖部分１ｂ，１ｃに対する着脱を可能とするため、図６に示すように、袖外被２全体に対する筒状部２ａの寸法比率を所定の比率としておく必要がある。この例では、袖丈線を標準的な６０．５ｃｍとした場合について、最適な寸法比率を求めた。袖丈線とは、袖山から袖口までの距離であり、着用時の腕部の外側に沿って肩口から手首までの距離に相当する。袖山とは、肩口の位置に相当し、ジャケット本体１の袖部分１ｂ，１ｃの付け根の上側、すなわち、図１、２に記載の開口部（アームホール）１ｅ，１ｆの上縁部に相当する箇所である。
【００４０】
筒状部２ａは袖外被２において筒状とする部分であり、筒状部２ａの寸法（袖山から袖口までの長さ）については袖丈線よりも短く形成することにより、ジャケット本体１の着用状態で着脱を容易にすることが可能である。袖山から、袖丈線の１／２（５０％）位置から袖口までを筒状部２ａとした場合には、筒状部２ａの長さは、３０．２５ｃｍとなる。次に、袖山から、袖丈線の１／３（３３．３３％）位置から袖口までを筒状部２ａとした場合には、筒状部２ａの長さは、４０．３３ｃｍとなる。そして、袖山から、袖丈線の１／６（１６．６６％）位置から袖口までを筒状部２ａとした場合には、筒状部２ａの長さは、５０．４２ｃｍとなる。なお、ジャケット本体１の袖部分１ｂ，１ｃの前後袖底位置を直線で結んだ位置は、袖山から、袖丈線に対し４．５％の位置であった。これらを試作した結果、袖丈線が６０．５ｃｍである場合において、袖山から袖丈線に対し１７．０５％位置から袖口までを筒状部２ａとし、筒状部２ａの長さを５０．１８ｃｍとすることが、最適な寸法比率であることがわかった。
【００４１】
この寸法比率において、袖外被２は、ジャケット本体１の着用状態での袖部分１ｂ，１ｃに対する着脱が可能であり、かつ、視認性向上または防寒のために十分な特性を発揮できる。
【００４２】
また、この袖外被２は、衿部分１ｄに設けられた袖外被収納袋に収納され得るように、薄い布地により構成されている。袖外被２を構成する薄い布地とは、例えば、６０ｄｔｅｘ以下の糸で織った布地である。
【００４３】
図７は、袖外被収納袋の構成を示す斜視図である。
【００４４】
袖外被２は、筒状部２ａがジャケット本体１の袖部分１ｂ，１ｃから外れた状態において、袖外被収納袋７内に畳んで収納され得る。袖外被収納袋７は、図７に示すように、ジャケット本体１の胴部分１ａの上端部近傍である衿部分１ｄにおいて、胴部分１ａに一体的に設けられている。衿部分１ｄは、衿本体５と、表地６とが縫合されて構成されている。衿本体５は、ジャケット本体１の着用時に人体の首もとを囲む部分である。表地６は、衿本体５の上端部に縫合され、外側に折り返されて、衿本体５の外周を囲んでいる。これら衿本体５と表地６との間が、袖外被収納袋になっている。
【００４５】
図８は、袖外被収納袋の構成を示す断面図である。
【００４６】
衿本体５は、図８に示すように、２枚の表衿８，８の間に、パンチ芯９及び表衿当布１０を挟み込み、表衿８，８同士を縫合することによって構成されている。この衿本体５は、ジャケット本体１の胴部分１ａの上端部に縫合されている。表地６は、衿本体５の上端部に縫合されている。袖外被２は、図８中の矢印Ａで示すように、衿本体５と表地６との間である袖外被収納袋７内に畳んで収納される。
【００４７】
なお、袖外被収納袋７内に袖外被２を収納した状態において、袖外被２が下方にずれ落ちないように、表地６の下端側と衿本体５の下端側との間は、面ファスナによって固定されるようにしてもよい。
【００４８】
図９は、袖外被収納袋の構成の他の例を示す背面図である。
【００４９】
さらに、袖外被２の面積を大きくして、袖外被収納袋７内に収納できるようにするためには、図９に示すように、衿裏内部に袖外被２を収納するための開口１３を設けてもよい。
【産業上の利用可能性】
【００５０】
本発明は、使用目的や状況に応じて両袖外被を収納できるジャケットに適用される。
【符号の説明】
【００５１】
１          ジャケット本体
１ａ        胴部分
１ｂ，１ｃ  袖部分
１ｄ        衿部分
１ｅ，１ｆ  開口部（アームホール）
２          袖外被
２ａ        筒状部
２ｂ        肩片部
２ｃ        端部
３          ファスナ
４          テープ状の蛍光素材または再帰性反射素材
５          衿本体
６          表地
７          袖外被収納袋
【図１】
0006301771.tif 000002
【図２】
0006301771.tif 000003
【図３】
0006301771.tif 000004
【図４】
0006301771.tif 000005
【図５】
0006301771.tif 000006
【図６】
0006301771.tif 000007
【図７】
0006301771.tif 000008
【図８】
0006301771.tif 000009
【図９】
0006301771.tif 000010